(57)【特許請求の範囲】
【請求項１】
再生ユニットシャーシにディスクモータを保持し、再生ユニットシャーシを昇降させることによりロータリトレイ上のディスクをディスクモータの回転軸に固着されたターンテーブルによりクランプおよびアンクランプする光ディスク再生装置において、前記再生ユニットシャーシを弾性体を介し保持する昇降部材に凸部または凹部を設け、前記ロータリトレイの裏面に前記凸部または凹部と嵌合する凹部または凸部を設け、前記ロータリトレイの凹部のロータリトレイ突出方向の後端または前記昇降部材の凹部のロータリトレイ突出方向の前端を開放することにより、昇降部材が上昇してディスクをクランプしているときに、ロータリトレイを筐体外に突出させることを可能とした光ディスク再生装置のロータリトレイ位置決め機構。
【発明の詳細な説明】
【０００１】
【発明の属する技術分野】
この発明は光ディスク再生装置に係わり、特に、ロータリトレイを用いてディスク交換を行う光ディスク再生装置のロータリトレイ位置決め機構に関する。
【０００２】
【従来の技術】
従来のロータリトレイを用いてディスク交換を行う光ディスク再生装置の例を図３および図４により説明する。図３は再生ユニットシャーシ４およびその昇降機構と図４に示すスライドテーブル２１の駆動機構を示す分解斜視図であり、図４はロータリトレイ２２およびその駆動機構とスライドテーブル２１を示す分解斜視図である。
【０００３】
図３に示す固定シャーシ１は筐体に固定状態に支持されており、再生ユニットシャーシ４およびその昇降機構を支持している。固定シャーシ１に一体形成されたガイド部１ａは筐体に固定状態に支持されたスライドテーブルガイド２と共に図４に示すスライドテーブル２１を筐体外に出入自在に支持している。
【０００４】
再生ユニットシャーシ４はディスクモータおよびその回転軸に固着されたターンテーブル４ａを支持し、また、光ピックアップ４ｂとその駆動機構を支持している。再生ユニットシャーシ４の後方の２隅はダンパー５、５が嵌着されさらに圧縮コイルばね６、６が嵌装されこれらを挿通して段付きねじ７、７が固定シャーシ１にねじ込まれ浮動状態に支持されている。再生ユニットシャーシ４の前方の２隅はダンパー５、５が嵌着されさらに圧縮コイルばね６、６が嵌装されこれらを挿通して段付きねじ７、７が昇降部材３にねじ込まれ浮動状態に支持されている。
【０００５】
昇降部材３は、後方に立設された軸３ａ、３ａが固定シャーシ１に回動自在に支持され、前方に設けられた軸３ｂが再生ユニットシャーシ昇降カム８のカム溝８ａと係合しており、再生ユニットシャーシ昇降カム８の回動に伴い軸３ａ、３ａ回りに回動する。
【０００６】
再生ユニットシャーシ昇降カム８はギヤ付きプーリ１２と共に固定シャーシ１に設けられた軸１ｂに回転自在に支持されている。固定シャーシ１に設けられた円弧状のガイド溝１ｃは再生ユニットシャーシ昇降カム８の裏面に設けられた凸部（図示していない）と係合し、再生ユニットシャーシ昇降カム８の回動を案内する。ギヤ付きプーリ１２には固定シャーシ１に支持されたモータ１１の回転がベルト１３を介して伝えられる。
【０００７】
２段ギヤ１４、１５および１６は再生ユニットシャーシ昇降カム８に回転自在に支持されており、ギヤ付きプーリ１２と共に減速ギヤ列を構成している。最終段の２段ギヤ１６の軸１６ａは図４に示すスライドテーブル２１のガイド溝付きボス２１ｂに設けられたＵ字形のガイド溝と係合している。また、２段ギヤ１６の小歯車はスライドテーブル２１のラック付きボス２１ａに設けられたＵ字形のラックと噛合っている。
【０００８】
モータ１１により２段ギヤ１６が回転されるが、その小歯車がＵ字形のラックの直線部と噛合っているときは軸１６ａもＵ字形のガイド溝の直線部と係合しており、スライドテーブル２１はモータ１１により筐体から出入する方向に駆動される。２段ギヤ１６の小歯車がＵ字形のラックの円弧部と噛合っているときは軸１６ａもＵ字形のガイド溝の円弧部と係合しており、スライドテーブル２１は移動せず、再生ユニットシャーシ昇降カム８は回動し昇降部材３を介して再生ユニットシャーシ４を昇降させる。すなわち、再生ユニットシャーシ４は後端辺を回動中心として回動される。
【０００９】
再生ユニットシャーシ４が上方に回動するときは、ターンテーブル４ａが図４に示すロータリトレイ２２上のディスクを持ち上げターンブル４ａの上方に配置されたクランパー１０と協動してディスクをクランプする。なお、クランパー１０は筐体に支持されたクランパー保持部材９に浮動状態に支持されている。
【００１０】
ディスクがクランプされた状態が再生状態である。このとき再生ユニットシャーシ昇降カム８は図３において上から見て反時計方向に回動しており、この状態でスライドテーブル２１はモータ１１により筐体から出入される。２段ギヤ１６の小歯車がＵ字形のラックの後端外側と噛合っている状態ではターンテーブル４ａが下降しスライドテーブル２１が筐体から突出した状態である。
【００１１】
この状態からモータ１１をターンテーブル４ａ上昇方向に回転させると、先ずスライドテーブル２１が筐体内に入り込んだ後ターンテーブル４ａが上昇する。さらに、モータ１１を同方向に回転させると、スライドテーブル２１が筐体外に突出する。
【００１２】
ターンテーブル４ａの上昇位置は固定シャーシ１に支持されたマイクロスイッチ１８により検出される。スライドテーブル２１の突出位置および筐体内位置は固定シャーシ１に支持された２位置検出のマイクロスイッチ１７により検出される。
【００１３】
スライドテーブル２１に回転自在に支持されたロータリトレイ２２は図４に示すように３か所にディスクを載置する凹部２２ｄ、２２ｄ…が形成されている。なお、図４（ａ）はスライドテーブル２１およびロータリトレイ２２を使用状態の姿勢で示す斜視図であり、図４（ｂ）はロータリトレイ２２を裏返した状態で示す斜視図である。スライドテーブル２１に支持されたモータ２４はベルト２５を介してスライドテーブル２１に回転自在に支持されたギヤ付きプーリ２６を回転させる。
【００１４】
ギヤ付きプーリ２６のウォームはスライドテーブル２１の軸２１ｃに回転自在に支持された２段ギヤ２７のウォームと噛合っており、２段ギヤ２７の小歯車はロータリトレイ２２のギヤ２２ｃと噛合っている。
【００１５】
モータ２４はロータリトレイ２２を回転させて凹部２２ｄ、２２ｄ…上のディスクをターンテーブル４ａ上に移動させる。ロータリトレイ２２の再生されるデクのアドレスはロータリトレイ２２の穴２２ａにより検出され、停止位置はリブ２２ｂに設けたスリットにより検出される。
【００１６】
穴２２ａはディスクを載置する夫々の凹部２２ｄ、２２ｄ…に対応して１個、２個および３個開けられており、これらの穴を透過する光をプリント基板２３に設けられた受光素子２３ｂが検出することによりターンテーブル４ａに近付く凹部２２ｄのアドレスを認識する。
【００１７】
凹部２２ｄのアドレスが認識された後リブ２２ｂに設けたスリットをプリント基板２３に設けられたフォトインタラプタ２３ａが検出することによりロータリトレイ２２の停止位置が検出され、モータ２４の回転を停止させることにより選択されたディスクがターンテーブル４ａ上に停止する。なお、プリント基板２３はスライドテーブル２１に取付けられており、穴２２ａに向けて光を放射する発光素子（図示していない）は筐体に取付けられている。
【００１８】
【発明が解決しようとする課題】
上記した従来の光ディスク再生装置では、選択したディスクをターンテーブル上に停止させる場合、フォトインタラプタによりスリットを検出してモータを停止させるが、ギヤの噛合わせのバックラッシュやその他のがたの成分によりモータが停止してもロータリトレイの回転方向の遊びがあり停止位置が正確に決まらない。
【００１９】
さらに、負荷のばらつきや温度変化による負荷変動によりモータを停止させても停止位置がばらつく。このためロータリトレイのディスクを載置する凹部がターンテーブルの真上にないことがあり、その場合はターンテーブルが降下してもディスクをロータリトレイの凹部に戻すことができないことがあった。
【００２０】
この発明は上記した点に鑑みてなされたものであって、その目的とするところは、ロータリトレイの停止位置を正確に決めることができる光ディスク再生装置のロータリトレイ位置決め機構を提供することにある。
【００２１】
【課題を解決するための手段】
この発明の光ディスク再生装置のロータリトレイ位置決め機構は、再生ユニットシャーシにディスクモータを保持し、再生ユニットシャーシを昇降させることによりロータリトレイ上のディスクをディスクモータの回転軸に固着されたターンテーブルによりクランプおよびアンクランプする光ディスク再生装置において、前記再生ユニットシャーシを弾性体を介し保持する昇降部材に凸部または凹部を設け、前記ロータリトレイの裏面に前記凸部または凹部と嵌合する凹部または凸部を設け、前記ロータリトレイの凹部のロータリトレイ突出方向の後端または前記昇降部材の凹部のロータリトレイ突出方向の前端を開放することにより、昇降部材が上昇してディスクをクランプしているときに、ロータリトレイを筐体外に突出させることを可能としたものである。
【００２３】
【発明の実施の形態】
この発明の実施例である光ディスク再生装置を図面に基づいて説明する。図１は再生ユニットシャーシ４およびその昇降機構と図２に示すスライドテーブル２１の駆動機構を示す分解斜視図であり、図２はロータリトレイ２２およびその駆動機構とスライドテーブル２１を示す分解斜視図である。図において、図３および図４の従来例で示したものと同様の機能を有する部分は同一の符号が付されており、その詳細な説明を省略する。
【００２４】
図１に示すように実施例の昇降部材３には凸部３ｃが設けられている。凸部３ｃの先端はテーパ状となっている。また、図２に示すように実施例のロータリトレイ２２はその裏面にボス２２ｅ、２２ｅ…が設けられている。ボス２２ｅ、２２ｅ…は凹部を囲むように形成されており、その凹部はロータリトレイ２２の外周方向の部分が解放されている。
【００２５】
ロータリトレイ２２が停止して昇降部材３が上昇するとき、その凸部３ｃがボス２２ｅの凹部に入り込みロータリトレイ２２の停止位置が確実に位置決めされる。従って、ロータリトレイ２２のディスクを載置する凹部２２ｄをターンテーブル４ａの真上とすることができターンテーブルが降下するときディスクをロータリトレイの凹部２２ｄに正確に戻すことができる。
【００２６】
昇降部材３が上昇してディスクをクランプしているときは、凸部３ｃと凹部２２ｄが嵌合しているが、凹部２２ｄの外周方向の部分が解放されているためロータリトレイ２２を保持したスライドテーブル２１を筐体外に突出させることができ、再生中にディスクを交換することが可能である。
【００２７】
実施例は以上のように構成されているが発明はこれに限られず、例えば、昇降部材３に凹部を設け、ロータリトレイ２２に凸部を形成してもよい。
【００２８】
【発明の効果】
この発明のロータリトレイ位置決め機構によれば、ロータリトレイのディスクを載置する凹部をターンテーブルの真上に停止させることができターンテーブルが降下するときディスクをロータリトレイの凹部に正確に戻すことができる。
【００２９】
また、請求項２のロータリトレイ位置決め機構によれば再生中にディスクを交換することが可能となる。
【図面の簡単な説明】
【図１】この発明の実施例である光ディスク再生装置の部分を示す分解斜視図である。
【図２】同光ディスク再生装置の他の部分を示す分解斜視図である。
【図３】従来の光ディスク再生装置の部分を示す分解斜視図である。
【図４】同光ディスク再生装置の他の部分を示す分解斜視図である。
【符号の説明】
１  固定シャーシ、１ａ  ガイド部、１ｂ  軸、１ｃ  ガイド溝
２  スライドテーブルガイド
３  昇降部材、３ａ  回動軸、３ｂ  軸
４  再生ユニットシャーシ、４ａ  ターンテーブル、４ｂ  光ピックアップ
５  ダンパー
６  圧縮コイルばね
７  座付きねじ
８  再生ユニットシャーシ昇降カム、８ａ  カム溝
９  クランパー保持部材
１０  クランパー
１１  モータ
１２  ギヤ付きプーリ
１３  ベルト
１４、１５、１６  ２段ギヤ、１６ａ  軸
１７、１８  マイクロスイッチ
２１  スライドテーブル、２１ａ  ラック付きボス、２１ｂ  ガイド溝付きボス、２１ｃ  軸
２２  ロータリトレイ、２２ａ  穴、２２ｂ  リブ、２２ｃ  ギヤ、２２ｄ  凹部、２２ｅ  ボス
２３  プリント基板、２３ａ  フォトインタラプタ、２３ｂ  受光素子
２４  モータ
２５  ベルト
２６  ギヤ付きプーリ
２７  ２段ギヤ
【図１】
0003576825.tif 000002
【図２】
0003576825.tif 000003
【図３】
0003576825.tif 000004
【図４】
0003576825.tif 000005